(57)【要約】【課題】簡単な構成で記録位置精度を高めること。【解決手段】レンチキュラーレンズを有する記録媒体を記録装置に供給するための供給カセットであって、前記記録媒体を支持するとともに、前記レンチキュラーレンズの母線方向に沿って前記記録媒体を案内するための案内部と、前記記録媒体を挿入する挿入口と、前記挿入口から挿入された前記記録媒体を前記記録装置に供給する供給口とを形成しつつ前記案内部を覆う外枠であって、前記案内部と対向する位置に前記所定方向に沿って形成されたスリットを有する外枠と、を備える供給カセット。【選択図】図１４
2010228823.tif 000002
【特許請求の範囲】
【請求項１】
レンチキュラーレンズを有する記録媒体を記録装置に供給するための供給カセットであって、
前記記録媒体を支持するとともに、前記レンチキュラーレンズの母線方向に沿って前記記録媒体を案内するための案内部と、
前記記録媒体を挿入する挿入口と、前記挿入口から挿入された前記記録媒体を前記記録装置に供給する供給口とを形成しつつ前記案内部を覆う外枠であって、前記案内部と対向する位置に前記所定方向に沿って形成されたスリットを有する外枠と、
を備える供給カセット。
【請求項２】
前記挿入口に挿入可能な定型サイズの前記記録媒体の前記母線方向の長さよりも、前記挿入口から前記供給口までの間隔の方が長い、請求項１に記載の供給カセット。
【請求項３】
前記スリットは、前記外枠の中央部に設けられる、請求項１又は２に記載の供給カセット。
【請求項４】
前記スリットは、前記外枠において前記母線方向に交差する方向の端部に設けられる、請求項１〜３のいずれかに記載の供給カセット。
【請求項５】
前記スリットは、前記外枠における前記記録媒体の挿入孔からの切り込みによって形成されている、請求項１〜４のいずれかに記載の供給カセット。
【請求項６】
さらに、前記スリットを通して前記記録媒体を前記案内部に押圧するための押圧部材を備える、請求項１〜５のいずれかに記載の供給カセット。
【請求項７】
前記スリットは、前記押圧部材を前記所定方向に摺動させるためのガイドを備える、請求項６に記載の供給カセット。
【請求項８】
前記案内部は、前記所定方向に沿って形成された凸部を有する、請求項１〜７のいずれかに記載の供給カセット。
【請求項９】
（Ａ）レンチキュラーレンズを有する記録媒体を支持するとともに、前記レンチキュラーレンズの母線方向に沿って前記記録媒体を案内するための案内部と、
前記記録媒体を挿入する挿入口と、前記挿入口から挿入された前記記録媒体を前記記録装置に供給する供給口とを形成しつつ前記案内部を覆う外枠であって、前記案内部と対向する位置に前記所定方向に沿って形成されたスリットを有する外枠と、
を備える供給カセットと、
（Ｂ）前記供給口から供給される前記記録媒体に液体を噴射するヘッドと、
を備える記録装置。
【請求項１０】
レンチキュラーレンズを有する記録媒体を供給カセットの挿入口に挿入することと、
前記供給カセットに形成されたスリットから前記レンチキュラーレンズを前記案内部に対して押圧しつつ前記挿入口に対抗する供給口に前記記録媒体を搬送することと、
前記供給口から前記記録媒体を前記母線方向に沿って排出させることと、
を含む、供給方法。
【発明の詳細な説明】
【技術分野】
【０００１】
本発明は、供給カセット、記録装置、及び、供給方法に関する。
【背景技術】
【０００２】
レンチキュラーレンズの背面に画像を配置することによって、立体画像あるいは見る角度に応じて絵柄が変化する画像が得られることが知られている。このような画像を得る際に、レンチキュラーレンズの背面に画像を貼り合わせても良いが、レンチキュラーレンズの背面に画像を直接記録することも行われている。
【０００３】
レンチキュラーレンズの背面の画像（レンチキュラー画像）は、レンチキュラーレンズのレンズ配列に精度良く合わせる必要がある。このため、レンチキュラーレンズの背面に画像を記録する場合にも、レンチキュラーレンズと画像とを精度良く位置合わせする必要がある。
【０００４】
特許文献１では、センサーを用いてレンチキュラーレンズの位置を検出し、この検出結果に基づいて所定の位置に記録を行う技術が開示されている。また、特許文献２には、搬送用トレイに載置された記録媒体がトレイ上で位置ずれしない対策を施し、記録位置の精度を高める技術が開示されている。
【先行技術文献】
【特許文献】
【０００５】
【特許文献１】特許第３４７１９３０号公報
【特許文献２】特開２００７−１３０７６９号公報
【発明の概要】
【発明が解決しようとする課題】
【０００６】
特許文献１では、レンチキュラーレンズの位置を検出するためのセンサーが必要になるため、装置のコストが高くなる。また、特許文献２では、搬送トレイに対する記録媒体の位置ずれを抑制できても、搬送トレイが搬送方向に対して傾斜した状態で搬送されてしまうと、記録媒体への画像記録位置の精度が低下する。  
本発明は、簡単な構成で記録位置精度を高めることを目的とする。
【課題を解決するための手段】
【０００７】
上記目的を達成するための主たる発明は、
レンチキュラーレンズを有する記録媒体を記録装置に供給するための供給カセットであって、
前記記録媒体を支持するとともに、前記レンチキュラーレンズの母線方向に沿って前記記録媒体を案内するための案内部と、
前記記録媒体を挿入する挿入口と、前記挿入口から挿入された前記記録媒体を前記記録装置に供給する供給口とを形成しつつ前記案内部を覆う外枠であって、前記案内部と対向する位置に前記所定方向に沿って形成されたスリットを有する外枠と、
を備える供給カセットである。  
本発明の他の特徴については、本明細書及び添付図面の記載により明らかにする。
【図面の簡単な説明】
【０００８】
【図１】図１Ａは、レンズシートの拡大断面図である。図１Ｂは、レンズシートをレンチキュラーレンズ側から見た図である。図１Ｃは、別のレンズシートの説明図である。
【図２】記録装置の概略構成を説明するためのブロック図である。
【図３】記録装置を後方から見た斜視図である。
【図４】図３に示す部分Ｒの拡大図である。
【図５】図５Ａは、レンズシートがガイドに対して斜めに載置された様子を上から見た図である。図５Ｂは、図５ＡのＡ−Ａ断面図である。図５Ｃは、図５ＡのＢ−Ｂ断面図である。
【図６】変形例における供給カセット２００と記録装置１００との関係を示す図である。
【図７】図７Ａは、図３のガイドの係合部の断面形状の説明図である。図７Ｂは、第１変形例の係合部の断面形状の説明図である。図７Ｃは、第２変形例の係合部の断面形状の説明図である。図７Ｄは、第４変形例の係合部の断面形状の説明図である。図７Ｅは、第４変形例の係合部の断面形状の説明図である。
【図８】図８Ａは、図３のガイドの搬送方向上流側の端面の説明図である。図８Ｂは、ガイドの端面形状の変形例の説明図である。
【図９】図９Ａは、図３のガイドの係合部の端部形状の説明図である。図９Ｂ〜図９Ｅは、係合部の凸部の端部形状の変形例である。
【図１０】変形例のガイドの一部を上から見た図である。
【図１１】図１１Ａは、凸部の個数の第１変形例の説明図である。図１１Ｂは、凸部の個数の第２変形例の説明図である。図１１Ｃは、凸部の個数の第３変形例の説明図である。図１１Ｄは、凸部の個数の第４変形例の説明図である。
【図１２】検査用画像の説明図である。
【図１３】レンチキュラーレンズの側から見た検査用画像の説明図である。
【図１４】本実施形態における供給カセット２００を説明する図である。
【図１５】第１変形例の供給カセット２００’を説明する図である。
【図１６】第２変形例の供給カセット２００’’を説明する図である。
【図１７】第３変形例の供給カセット２００’’’を説明する図である。
【発明を実施するための形態】
【０００９】
本明細書及び添付図面の記載により、少なくとも、以下の事項が明らかとなる。
【００１０】
レンチキュラーレンズを有する記録媒体を記録装置に供給するための供給カセットであって、
前記記録媒体を支持するとともに、前記レンチキュラーレンズの母線方向に沿って前記記録媒体を案内するための案内部と、
前記記録媒体を挿入する挿入口と、前記挿入口から挿入された前記記録媒体を前記記録装置に供給する供給口とを形成しつつ前記案内部を覆う外枠であって、前記案内部と対向する位置に前記所定方向に沿って形成されたスリットを有する外枠と、
を備える供給カセット。  
このようにすることで、簡単な構成で記録位置精度を高めることができる。
【００１１】
かかる供給カセットであって、前記挿入口に挿入可能な定型サイズの前記記録媒体の前記母線方向の長さよりも、前記挿入口から前記供給口までの間隔の方が長いことが望ましい。また、前記スリットは、前記外枠の中央部に設けられることが望ましい。また、前記スリットは、前記外枠において前記母線方向に交差する方向の端部に設けられることとしてもよい。また、前記スリットは、前記外枠における前記記録媒体の挿入孔からの切り込みによって形成されていることとしてもよい。
【００１２】
また、さらに、前記スリットを通して前記記録媒体を前記案内部に押圧するための押圧部材を備えることとしてもよい。また、前記スリットは、前記押圧部材を前記所定方向に摺動させるためのガイドを備えることが望ましい。また、前記案内部は、前記所定方向に沿って形成された凸部を有することが望ましい。  
このようにすることで、簡単な構成で記録位置精度を高めることができる。
【００１３】
（Ａ）レンチキュラーレンズを有する記録媒体を支持するとともに、前記レンチキュラーレンズの母線方向に沿って前記記録媒体を案内するための案内部と、
前記記録媒体を挿入する挿入口と、前記挿入口から挿入された前記記録媒体を前記記録装置に供給する供給口とを形成しつつ前記案内部を覆う外枠であって、前記案内部と対向する位置に前記所定方向に沿って形成されたスリットを有する外枠と、
を備える供給カセットと、
（Ｂ）前記供給口から供給される前記記録媒体に液体を噴射するヘッドと、
を備える記録装置。  
このようにすることで、簡単な構成で記録位置精度を高めることができる。
【００１４】
レンチキュラーレンズを有する記録媒体を供給カセットの挿入口に挿入することと、
前記供給カセットに形成されたスリットから前記レンチキュラーレンズを前記案内部に対して押圧しつつ前記挿入口に対抗する供給口に前記記録媒体を搬送することと、
前記供給口から前記記録媒体を前記母線方向に沿って排出させることと、
を含む、供給方法。  
このようにすることで、簡単な構成で記録位置精度を高めることができる。
【００１５】
＝＝＝レンズシート＝＝＝
まず、レンチキュラーレンズを有する記録媒体であるレンズシートについて説明する。  
図１Ａは、レンズシートの拡大断面図である。図１Ｂは、レンズシートをレンチキュラーレンズ側から見た図である。図１Ｃは、別のレンズシートの説明図である。
【００１６】
レンズシートＬは、レンチキュラーレンズ７と、画像形成層８とを有する。  
レンチキュラーレンズ７は、多数のシリンドリカルレンズ１３をシート面方向に配列した樹脂製の光学部材（シリンドリカルレンズアレイ）である。以下の説明では、シリンドリカルレンズ１３の母線方向を「ｘ方向」とし、シリンドリカルレンズ１３の並ぶ方向を「ｙ方向」とする（ｘ、ｙは小文字）。また、各シリンドリカルレンズ１３の最も突出している部分（ピーク）を「山」と呼び、シリンドリカルレンズ間の凹部分を「谷」と呼び、山の連なる線を「稜線」と呼ぶことがある。
【００１７】
画像形成層８は、インク透過層８Ａと、インク吸収層８Ｂとを有する。インク透過層８Ａは、レンズシートＬの外側に位置し、インク吸収層８Ｂは、インク透過層８Ａとレンチキュラーレンズ７との間に位置する。レンズシートＬの画像形成層８の側からインクジェット記録方式で画像を記録すると、インクがインク透過層８Ａを透過してインク吸収層８Ｂに吸収され、レンチキュラーレンズ７越しに画像を視認できる。
【００１８】
なお、レンズシートＬの画像形成層８は無くても良い。例えば、紫外線硬化インクを用いれば、インク透過層８Ａやインク吸収層８Ｂなどが無くても、レンチキュラーレンズ７の背面に直接画像を記録することができる。
【００１９】
以下に説明する本実施形態の記録装置は、レンチキュラーレンズ７の形状を利用して、レンチキュラーレンズ７の母線方向（ｘ方向）に沿ってレンズシートＬを搬送する。具体的には、搬送方向に沿って凸部をガイド（後述）上に形成しておき、この凸部にシリンドリカルレンズ間の谷間が係合しながらレンズシートＬを滑らせるように搬送することによって、記録装置の搬送方向とレンズの母線方向（ｘ方向）とが一致するようにしている。
【００２０】
これにより、記録装置の記録位置（ヘッドがインクを吐出して画像を形成する位置）において、レンチキュラーレンズ７の各シリンドリカルレンズ１３が所定位置に位置決めされた状態になる。この結果、レンチキュラーレンズ７のレンズ配列に合わせて、精度良く画像を記録できる。
【００２１】
なお、図１Ｂでは、レンズシートＬの辺の方向は、ｘ方向やｙ方向と一致している。但し、図１Ｃのように、レンズシートＬの種類により、若しくはレンズシートＬの製造精度により、レンズシートＬの辺の方向は、ｘ方向やｙ方向と一致しないことがある。本実施形態の記録装置は、図１ＣのようなレンズシートＬに対しても、記録装置の搬送方向とレンズの母線方向（ｘ方向）とを一致させ、レンチキュラーレンズ７のレンズ配列に合わせて、精度良く画像を記録できる。
【００２２】
また、図１Ｂのような場合においても、レンズシートＬの辺にシリンドリカルレンズ１３の山が位置することもあるし、谷が位置することもある。本実施形態の記録装置によれば、レンズシートＬの辺にシリンドリカルレンズ１３の山が位置するか谷が位置するかに関わらず、レンチキュラーレンズ７の各シリンドリカルレンズ１３が所定位置に位置決めされた状態になる。
【００２３】
＝＝＝本実施形態＝＝＝
＜記録装置の概要＞
図２は、記録装置の概略構成を説明するためのブロック図である。図３は、記録装置を後方から見た斜視図である。なお、図３において、記録装置１００の搬送方向をＸ方向とし、ヘッドの主走査方向をＹ方向とし、鉛直方向をＺ方向とする（Ｘ、Ｙ、Ｚは大文字）。後述するように、Ｘ方向（記録装置１００の搬送方向）とｘ方向（レンズシートＬのレンズの母線方向）は、一致することになる。
【００２４】
外部装置であるコンピューター１１０は、記録装置１００に記録させるための画像を生成し、記録用データを記録装置１００に送信する。レンズシートＬに記録を行う場合には、コンピューター１１０は、ユーザーの指定した複数の画像をレンズピッチ等に応じて加工・合成することによって記録用の画像を生成し、その画像を記録させるための記録用データを記録装置１００に送信する。なお、記録用データを生成する機能を記録装置１００が備えていてもよい。
【００２５】
記録装置１００は、コンピューター１１０から受信した記録用データに基づいて、媒体に記録を行う。レンズシートＬに記録を行う場合には、レンズピッチに応じて生成された記録用データに基づいて、レンズシートＬの背面に画像を記録する。
【００２６】
記録装置１００は、筐体２と、ガイド３を含む供給カセット２００と、搬送ローラー４及び排紙ローラー５と、ヘッド６等を有する。筐体２は、記録装置１００の外装体である。供給カセット２００は、レンズシートＬを記録装置１００内部に供給するために記録装置１００にセットされるカセットである。搬送ローラー４及び排紙ローラー５は、供給カセット２００から供給されたレンズシートＬを搬送方向に搬送する。ヘッド６は、レンズシートＬに対して記録を行う。
【００２７】
筐体２には、供給カセット挿入部９と、排紙開口部１０とが設けられている。供給カセット挿入部９から供給されたレンズシートＬは、搬送ローラー４及び排紙ローラー５によって搬送方向に搬送されると共に、ヘッド６によって記録が行われ、排紙開口部１０から記録装置１００の外部に排出される。
【００２８】
供給カセット２００は、矩形上の外枠を有し、その内部にガイド３を有する。また、供給カセット２００の上部には後述するスリット２１０が形成されており、スリット２１０を通り供給カセット２００内のレンズシートＬを押圧することができるようになっている。尚、供給カセット２００の説明は、図１４以降に詳述する。
【００２９】
ガイド３は、供給カセット２００の底部に配置され、全体として矩形の板状体を呈している。ガイド３は、搬送方向に関して、供給カセット２００のレンズシート挿入口２０２からレンズシート供給口２０４にわたって形成されている。また、Ｙ方向（若しくはレンズシートＬの幅方向）に関して、レンズシートＬの全幅を支持できるだけの幅がある。
【００３０】
ヘッド６の前後には、搬送ローラー４と排紙ローラー５が配置されている。搬送ローラー４は搬送用モーター１６によって回転駆動され、排紙ローラー５は排紙用モーター１７によって回転駆動される。
【００３１】
ヘッド６は、インクを吐出するインクジェット型の記録ヘッドであり、キャリッジ１８の下面に取り付けられている。キャリッジ１８は、Ｙ方向に沿って設けられたキャリッジガイド１９によってＹ方向に移動可能に支持され、キャリッジ用モーター２０により駆動されるタイミングベルト２１に取り付けられている。このため、キャリッジ用モーター２０によりタイミングベルト２１が回転駆動すると、キャリッジ１８と共にヘッド６がＹ方向に往復移動することができる。
【００３２】
コントローラーは、搬送用モーター１６や排紙用ローラー１７を制御することによって、レンズシートＬの搬送方向への搬送を制御する。また、コントローラーは、キャリッジ用モーター２０を制御することによって、ヘッド６の移動を制御する。また、コントローラーは、ヘッド６からのインクの吐出を制御する。これにより、コントローラーは、レンズシートＬの所望の位置に画像を記録することができる。
【００３３】
なお、レンズシートＬに画像を記録するときには、画像形成層８の側がヘッド６に対向し、レンチキュラーレンズ７の側がガイド３と接触するように、レンズシートＬをガイド３に載置する。そして、スリット２１０を通してレンズシートＬをガイド３に押し当てつつ搬送方向に移動させる。その後、搬送ローラー４によってレンズシートＬが搬送方向に搬送されヘッド６の下部に移動させられる。これにより、ヘッド６は画像形成層８に対して記録を行い、レンチキュラーレンズ７の側から画像形成層８に記録された画像を視認することができる記録物が作成される。
【００３４】
＜ガイドの構成＞
図４は、図３に示す部分Ｒの拡大図である。  
ガイド３は、供給カセットの底面１１と、係合部１２とを備えている。係合部１２は、レンチキュラーレンズ７と同一形状であり、底面１１上に設けられている。すなわち、シリンドリカルレンズ１３と同一形状の線条の凸部１４が、レンズピッチと同じピッチで並んでいる。このため、レンチキュラーレンズ７を転用して係合部１２を形成しても良い。係合部１２の形状がレンチキュラーレンズ７と同一形状であるため、ここでは、係合部１２の凸部１４の最も突出している部分を「山」と呼び、凸部１４の間の凹部分を「谷」と呼び、山の連なる線を「稜線」と呼び、稜線と平行な方向を「母線方向」と呼ぶことがある。
【００３５】
ガイド３は、線条の凸部１４の母線方向が記録装置１００の搬送方向（Ｘ方向）と一致するように位置調整されて、記録装置１００に取り付けられている。また、線条の凸部１４は、レンズシートＬの幅よりも広い幅に亘って並設されている。
【００３６】
係合部１２がレンチキュラーレンズ７と同一形状であるため、レンチキュラーレンズ７の側を下にしてレンズシートＬをガイド３に載置したときに、レンチキュラーレンズ７のシリンドリカルレンズ１３とガイド３の凸部１４とが噛み合い、ガイド３の凸部１４がシリンドリカルレンズ１３の山と山の間に位置し、シリンドリカルレンズ１３の山がガイド３の凸部１４と凸部１４の間に位置する。この結果、レンズシートＬは、ガイド３に対してＹ方向の動きが制限され、Ｙ方向に位置決めされる。一方、凸部１４の母線方向（図４の紙面垂直方向、Ｘ方向）の制約はないため、レンズシートＬは、ガイド３の凸部１４の母線方向である搬送方向に沿って、搬送可能である。すなわち、ガイド３は、レンズシートＬを、Ｙ方向への移動を拘束したまま、搬送方向に案内する。
【００３７】
＜押圧力による斜行防止＞
レンズシートＬがガイド３に対して斜めに載置されることがある。すなわち、記録装置１００の搬送方向（Ｘ方向）と、レンズシートＬのレンズの母線方向（ｘ方向）とが一致しない状態で、レンズシートＬがガイド３に載置されることがある。このような状態では、レンズシートＬがＹ方向に位置決めされていない。但し、このような場合においても、レンズシートＬをガイド３に押し付けながら搬送することによって、レンズシートＬが斜行されて搬送されることを防止できる。
【００３８】
２枚のレンズシートを用意し、最初は２枚のレンズシートの母線方向を交差させた状態（レンズ同士の山が噛み合っていない状態）でレンズ面同士を対向させて重ね合わせ、その状態で２枚のレンズシートを滑らせると（擦り合わせると）、２枚のレンズシートの母線方向が一致して、レンズ同士の山が噛み合う状態になる。本実施形態の記録装置１００がレンズシートＬをガイド３に押付けながら搬送することによって斜行防止できるのは、この現象を利用したものである。
【００３９】
図５Ａは、レンズシートがガイド３に対して斜めに載置された様子を上から見た図である。図５Ｂは、図５ＡのＡ−Ａ断面図である。図５Ｃは、図５ＡのＢ−Ｂ断面図である。図５Ａでは、ガイド３やレンズの山の位置を点線で示し、谷の位置を実線で示し、ガイド３を太線で示し、レンズを細線で示している。また、説明の簡略化のため、山や谷の数を少なくしている。
【００４０】
図５ＡのようにレンズシートＬがガイド３に対して斜めに載置されると、図５ＢのようにレンズシートＬとガイド３の山同士が接触する所がある。したがって、図４の状態と比較すると、レンズシートＬとガイド３との間隔が広くなっている。このため、図５Ｃに示すように、レンズシートＬの山がガイド３から離れる部分が生じる。図５Ｃの状態のＢ−Ｂ断面の位置に押圧力が作用すると、図４のようにレンズシートＬの山がガイド３の谷に入り込んで接触するようにレンズシートＬが撓む。この結果、Ｂ−Ｂ断面の位置に押圧力が作用すると、Ｂ−Ｂ断面の位置では、レンズシートＬの左右方向（Ｙ方向）の移動が制限される。
【００４１】
その状態からレンズシートＬが搬送方向に搬送されると、押圧力の作用する位置がＢ−Ｂ断面の位置からずれる。この結果、Ｂ−Ｂ断面からずれた位置においても、図４のようにレンズシートＬの山がガイド３の谷に入り込む。このとき、Ｂ−Ｂ断面の位置で図４のような状態が維持されたまま、Ｂ−Ｂ断面からずれた位置でも図４のような状態になろうとするため、Ａ−Ａ断面のようにレンズシートＬの山がガイド３の山と接触している位置（図５Ａ、図５Ｂ参照）では、レンズシートＬの山がガイド３の曲面に沿って滑る（この場合、レンズシートＬの山が右方向に滑る）。これにより、斜行が解消される方向（図５Ａの反時計回り）にレンズシートＬが回転し、斜行が修正される（レンズシートＬの母線方向とガイド３の母線方向が一致する）。
【００４２】
斜行が修正され、レンズシートＬの山とガイド３の山とが一旦噛み合うと、もはやレンズシートＬが回転する動きは拘束され、また、レンズシートＬに対して回転方向に作用する力も生じない。また、レンズシートＬの山とガイド３の山とが噛み合った状態でレンズシートＬが押圧力を受けると、レンズシートＬとガイド３との間に隙間が空かなくなり、ガイド３に対するレンズシートＬの動きはＸ方向だけに限定されるので、継続的に斜行が防止される。
【００４３】
本実施形態では、供給カセット２００のスリット２１０からレンズシートＬをガイド３に押し付けながら搬送方向に搬送している。これにより、レンズシートＬの斜行が防止され、Ｘ方向（記録装置１００の搬送方向）とｘ方向（レンズシートＬのレンズの母線方向）が一致する。そして、レンズシートＬの斜行が防止されたまま搬送ローラー４へレンズシートＬが供給されることになる。
【００４４】
＝＝＝ガイドの変形例＝＝＝
＜配置について＞
図６は、変形例における供給カセット２００と記録装置１００との関係を示す図である。図３では、供給カセット２００から排出された後にガイド３は存在しなかったが、図６では供給カセット２００から排出された後もガイド３によってレンズシートＬが位置決めされつつ搬送される。このようにすることで、よりレンズシートＬの斜行が防止され、Ｘ方向（記録装置１００の搬送方向）とｘ方向（レンズシートＬのレンズの母線方向）が一致する。
【００４５】
＜係合部の形状について（１）＞
図７Ａは、図３のガイドの係合部の断面形状の説明図である。前述のガイド３は、レンチキュラーレンズ７と同一形状であった。  
但し、ガイド３の係合部１２は、このような形状に限られるものではない。以下、ガイド３の係合部１２の形状の変形例について説明する。なお、以下のいずれの係合部１２も、図７Ａと同様に、搬送方向に沿った凸部１４を有している。
【００４６】
図７Ｂは、第１変形例の係合部の断面形状の説明図である。第１変形例の係合部１２の断面形状は、レンチキュラーレンズ７の反対形状である。言い換えると、第１変形例の係合部１２の凸部１４は、レンチキュラーレンズ７の凹部に合う形状になっている。このため、図７Ａでは凸部１４の曲率中心は係合部１２の内側（下側）にあったが、第１変形例の係合部１２の凸部１４の曲率中心は、係合部１２の外側（上側）にある。このような第１変形例の係合部１２であれば、レンズシートＬのＹ方向の拘束を強固にできる。
【００４７】
図７Ｃは、第２変形例の係合部の断面形状の説明図である。第２変形例の係合部１２は曲面を持たず、凸部１４の断面は三角形状である。このような形状であっても、レンズシートＬをＹ方向に拘束できる。
【００４８】
図７Ｄは、第４変形例の係合部の断面形状の説明図である。第４変形例の係合部１２は、図７Ａ〜図７Ｃと比較すると、凸部１４の間隔が２倍になっている。このように、凸部１４の間隔をレンズピッチｐの整数倍にしても、レンズシートＬをガイド３に載置したときにガイド３の凸部１４がシリンドリカルレンズ１３の谷に位置するので、レンズシートＬは、ガイド３に対してＹ方向の動きが制限され、Ｙ方向に位置決めされる。
【００４９】
図７Ｅは、第４変形例の係合部の断面形状の説明図である。第３変形例の係合部１２は、凸部１４の断面が矩形状である。このような形状であっても、レンズシートＬをＹ方向に拘束できる。但し、図７Ａ〜図７Ｄの係合部１２の方が、図７Ｅの係合部１２よりも、レンズとの間に隙間が生じにくいので、位置決め精度が高い。
【００５０】
＜係合部の形状について（２）＞
図８Ａは、図３のガイドの搬送方向上流側の端面の説明図である。図のようにガイド３の端面３Ａの法線方向が搬送方向（Ｘ方向）になると、レンズシートＬを供給カセット２００のレンズシート挿入口２０２から挿入するときに、レンズシートＬの上端がガイド３の端面３Ａにぶつかり、レンズシートＬを挿入しづらい。
【００５１】
図８Ｂは、ガイドの端面形状の変形例の説明図である。変形例では、ガイド３の搬送方向上流側の端面３Ｂの法線方向がＺ方向成分を有するように、ガイド３の端面を斜面にしている。これにより、レンズシートＬの上端がガイド３の端面３Ｂにぶつかったとき、レンズシートＬの上端が上に案内され、レンズシートＬをレンズシート挿入口２０２に挿入しやすくなる。
【００５２】
＜係合部の形状について（３）＞
図９Ａは、図３のガイドの係合部の端部形状の説明図である。図のように、係合部１２の断面形状が端部まで同じだと、レンズシートＬがレンズシート挿入口２０２から挿入するときに、レンズシートＬの上端が係合部１２の凸部１４にぶつかり、レンズシートＬを挿入しづらい。
【００５３】
図９Ｂ〜図９Ｅは、係合部の凸部の端部形状の変形例である。このように、係合部１２の凸部１４を、搬送方向上流側ほど小さくするようにしても良い。これにより、係合部１２の凸部１４の端が、挿入されるレンズシートＬの山と山の間に入り込みやすくなり、レンズシートＬの山を係合部１２の谷に案内し、レンズシートＬの谷を係合部１２の山に案内しやすくなる。
【００５４】
＜係合部の形状について（４）＞
前述の凸部１４は、Ｘ方向（搬送方向）に沿った線条の形状であった。しかし、凸部１４の形状は、線条に限られるものではない。
【００５５】
図１０は、変形例のガイドの一部を上から見た図である。正方格子状に多数の半球状突起が係合部１２に設けられている。突起３４と突起３４との間隔は、レンチキュラーレンズ７のレンズピッチｐと同じである。言い換えると、この変形例では、搬送方向に沿って複数の突起３４を設けることによって、搬送方向に沿った凸部１４が形成されており、このような凸部１４がレンズピッチｐと同じ間隔で並んでいる。このようなガイド３であっても、レンズシートＬをＹ方向に拘束しつつ、Ｘ方向に搬送できる。
【００５６】
なお、この変形例の突起３４の形状は半球状であったが、円錐状や四角錐状（ピラミッド状）にしても良い。また、突起同士のＹ方向の間隔は、必ずしもレンチキュラーレンズ７のレンズピッチｐと同じでなくてもよく、レンズピッチの整数倍の間隔であっても良い。また、Ｙ方向には突起３４を揃えて配置しなくても良い。
【００５７】
＜凸部の個数について＞
前述のガイド３には、多数の凸部１４がレンチキュラーレンズ７のレンズピッチと同じピッチでＹ方向に連続して設けられていた。しかし、ガイド３はこのような形状でなくても良い。
【００５８】
図１１Ａは、凸部の個数の第１変形例の説明図である。このように、凸部１４が単数であっても、凸部１４が搬送方向（図中の紙面に垂直な方向）に沿って形成されていれば、ガイド３はレンズシートＬをＹ方向に拘束しつつ搬送方向に搬送できる。  
図１１Ｂは、凸部の個数の第２変形例の説明図である。このように、複数の凸部１４が、レンチキュラーレンズ７のレンズピッチｐと同じ間隔で並んでいても良い。  
図１１Ｃは、凸部の個数の第３変形例の説明図である。このように、複数の凸部１４が、レンチキュラーレンズ７のレンズピッチｐの整数倍の間隔で並んでいても良い。  
図１１Ｄは、凸部の個数の第４変形例の説明図である。ガイド３に複数の凸部１４が設けられる場合、必ずしも等間隔である必要はなく、凸部１４同士の間隔が、レンチキュラーレンズ７のレンズピッチｐ若しくはその整数倍であれば良い。
【００５９】
なお、図１１Ａ〜図１１Ｄでは、凸部１４の形状を円筒状にしているが、既に説明したような別の形状であっても良い。ここでは、その説明を省略する。
【００６０】
＝＝＝供給カセットの位置調整＝＝＝
供給カセット２００は、ガイド３が凸部１４の方向が搬送方向に沿うように調整されるようにして記録装置１００に取り付けられる必要がある。ここでは、ガイド３を含む供給カセット２００の取り付け時の調整方法について説明する。
【００６１】
図１２は、検査用画像の説明図である。  
検査用画像ＣＭは、複数本のラインＬｎを有する画像である。複数のラインＬｎの中心のラインＬＡは、画像データ上では搬送方向に沿ったラインになっている。検査用画像ＣＭのラインＬＡの左右にあるラインＬｎは、一定角度ずつ順に傾斜を累積させたラインになっている。例えば、ラインＬＡよりも右側のラインＬｎは、画像データ上において搬送方向に向かって時計回りに０．０１度刻みで順に傾斜角を増すように設定されている。また、ラインＬＡよりも左側のラインＬｎは、画像データ上において搬送方向に向かって反時計回りに０．０１度刻みで順に傾斜角を増すように設定されている。
【００６２】
ガイド３を含む供給カセット２００が記録装置１００に取り付けられた後、ガイド３の凸部１４の母線方向が搬送方向に沿っているかどうかを検査するため、記録装置１００は、検査用画像ＣＭをレンズシートＬに記録する。もし記録装置１００が理想的に組み立てられていれば、ラインＬＡは搬送方向に一致してレンズシートＬ上に記録される。すなわち、記録装置１００が理想的に組み立てられていれば、ラインＬＡは、レンズシートＬの母線方向に沿って記録されているはずである。記録装置１００が検査用画像をレンズシートＬに記録した後、検査者は、レンチキュラーレンズ７の側から検査用画像を検査する。
【００６３】
図１３は、レンチキュラーレンズの側から見た検査用画像の説明図である。複数本のラインＬｎのうち、レンチキュラーレンズ７の母線方向と一致して記録されたラインＬｎは、連続した１本のラインとして視認することができる。他方、レンチキュラーレンズ７の母線方向に沿って記録されていないラインＬｎは、複数のシリンドリカルレンズ１３にまたがって記録されるため、例えば、ラインＬＣ等のように不連続で分断されたラインになる。もし記録装置１００が理想的に組み立てられていれば、ラインＬＡが１本のラインとして視認されるはずである。他方、ガイド３の凸部１４の母線方向が搬送方向に対して傾斜していれば、ラインＬＡは分断されたラインとして視認され、その傾斜角度に相当する別のラインＬＢが１本のラインとして視認される。
【００６４】
そこで、検査者は、１本に視認できるラインを特定し、そのラインに相当する角度の分だけガイド３を含む供給カセット２００の取付角度を調整する。例えば、この場合、現在のガイド３の取付角度に対して、０．０３度だけ傾斜するようにガイド３の取付角度を調整する。これにより、ガイド３の凸部１４が搬送方向に沿うようにガイド３を含む供給カセット２００が記録装置１００に取り付けられる。
【００６５】
なお、上記の説明では、検査者がレンズシートＬに記録された検査用画像を視認していたが、これに限られるものではない。例えば、スキャナがレンズシートＬに記録された検査用画像を読み取り、読み取り結果に基づいて、ガイド３を含む供給カセット２００の取付角度を決定してもよい。
【００６６】
＜本実施形態における給紙カセット＞
図１４は、本実施形態における供給カセット２００を説明する図である。供給カセット２００には、レンズシート挿入口２０２とレンズシート供給口２０４とが設けられている。レンズシート挿入口２０２は、レンズシートを供給カセット内に挿入するための挿入口である。また、レンズシート供給口２０４は、ガイドにガイドされたレンズシートをプリンタ内部に供給するための供給口である。尚、供給カセット２００のレンズシート挿入口２０２からレンズシート供給口２０４までの間隔は、レンズシート挿入口に挿入可能な定型サイズのレンズシートの母線方向の長さよりも長くなるように作成されている。
【００６７】
供給カセット２００の底面１１には、前述の通りガイド３が形成されている。そのため、レンズシートＬがガイド上を通過することで、レンチキュラーレンズのシリンドリカルレンズとガイド３の凸部とが噛み合い、ガイドの凸部がシリンドリカルレンズの山と山との間に位置し、シリンドリカルレンズの山がガイドの凸部と凸部との間に位置する。この結果、レンズシートＬは、ガイド３に対してＹ方向の動きが制限され、Ｙ方向に位置決めされる。
【００６８】
レンズシートＬの自重により、ガイド３に対してＹ方向の動きを制限することも可能ではあるが、レンズシートＬをガイド３に対して押しつけるような力が作用した方が、より確実にレンズシートＬがガイド３に対してＹ方向の動きが制限されることとなる。
【００６９】
本実施形態における供給カセット２００では、このようにレンズシートＬをガイド３に対して押しつけるような力を作用させつつ供給が可能となるように、供給カセット２００の上部に、押しつける力を作用させるための中央スリット２１０が形成されている。
【００７０】
中央スリット２１０は、供給カセット２００のほぼ中央に形成され、また、レンズシートＬの搬送方向の幅が、搬送方向に交差する方向の幅よりも長くなるように形成されている。このような供給カセット２００を用いる場合、レンズシートＬはレンズシート挿入口２０２に挿入された後、例えば、中央スリット２１０から例えば人間の指などによってレンズシートＬの印刷面が押さえられながら搬送方向に搬送させられる。このようにして、中央スリット２１０からレンズシートＬをガイドに押しつけながら搬送方向に搬送させることができるので、レンズシートＬが搬送ローラーに接触するまでの間に、ガイドの凸部の母線方向に沿って移動させることができ、搬送精度を向上させることができる。また、レンズシートが搬送ローラーに接触した後も、中央スリットから継続的に印刷面を押さえながら搬送させることができるので、継続的にガイド３の凸部の母線方向に沿ってレンズシートＬを搬送させることができ、印刷中における搬送精度を向上させることができる。
【００７１】
図１５は、第１変形例の供給カセット２００’を説明する図である。第１変形例の供給カセット２００’では、前述の中央スリット２１０の代わりに供給カセット２００’の上部側であって側面部分に側面スリット２２０が設けられている。側面スリット２２０は、搬送方向の幅が前述の中央スリット２１０における搬送方向の幅と同程度の幅となるように形成されている。また、側面スリット２２０の、搬送方向に交差する方向の幅は、この側面スリット２２０を通ってレンズシートＬを押しつけることができる程度に十分な幅が形成されているものとする。
【００７２】
このような供給カセット２００’を用いる場合、レンズシートＬはレンズシート挿入口２０２に挿入された後、側面スリット２２０から例えば人間の指などによってレンズシートＬの上部をガイド３に押しつけながら搬送方向に搬送させることができる。このようにすることで、搬送精度を向上させつつレンズシートＬを搬送させることができるが、さらにレンズシートＬの印刷面中央部を押さえる必要がないため、例えば人間の指などによって押さえられる場合であっても、油脂などを印刷面中央部に付着させることなく搬送方向に搬送させることができる。
【００７３】
図１６は、第２変形例の供給カセット２００’’を説明する図である。第２変形例の供給カセット２００’’では、前述の中央スリット２１０の代わりに、供給カセット２００’の上部側であってレンズシート挿入口２０２側からの切り込みによって形成された挿入口側スリット２３０が設けられている。挿入口側スリット２３０は、搬送方向の幅が前述の中央スリット２１０における搬送方向の幅と同程度の幅となるように形成されている。また、挿入口側スリット２３０の、搬送方向に交差する方向の幅は、この挿入口側スリット２３０を通ってレンズシートＬを押しつけることができる程度に十分な幅が形成されているものとする。
【００７４】
このような供給カセット２２０’を用いる場合、レンズシートＬはレンズシート挿入口２０２に挿入された後、挿入口側スリット２３０から例えば人間の指などによってレンズシートＬの上部をガイドに押しつけながら搬送させることができる。
【００７５】
尚、前述の全ての種類のスリットを供給カセットに設けることとしてもよい。すなわち、供給カセットに中央スリット２１０、側面スリット２２０、及び、挿入口側スリット２３０の全てを設けることとしてもよい。
【００７６】
図１７は、第３実施例の供給カセット２００’’’を説明する図である。第３実施形態の供給カセット２００’’では、前述の中央スリット２１０にレンズシートＬを上部から押圧するための押圧部材２４０が設けられている。そして、中央スリット２１０は、この押圧部材２４０を搬送方向に滑らかに移動させることができるためのガイドの役割を果たしている。また、押圧部材２４０は、操作しやすいようにグリップ部２４１とグリップ部２４１と一体に搬送方向に移動可能なレンズシート押さえ部２４２を備える。
【００７７】
このような供給カセット２００’’’を用いる場合、レンズシートＬはレンズ挿入口２０２に挿入された後、ガイド３の上部であってレンズシート押さえ部２４２の下に配置される。そして、グリップ部２４１によってレンズシートＬの上部をガイド３に押しつけながら搬送方向に搬送する。このようにすることによって、前述の作用から、レンズシートＬの山をガイド３の係合部の谷に案内され、Ｙ方向についてレンズシートＬを位置決めしつつ搬送することができる。
【００７８】
また、供給カセット２００’’’によれば、人間の指などがレンズシートＬを直接触る必要がないため、レンズシートＬの印刷面に油脂などを付着させることなく搬送方向に搬送させることができる。
【００７９】
＝＝＝その他の実施の形態＝＝＝
一実施形態としてヘッドを用いた記録装置を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００８０】
２  筐体、３  ガイド、３Ａ・３Ｂ  端面、４  搬送ローラー、
５  排紙ローラー、６  ヘッド、７  レンチキュラーレンズ、
８  画像形成層、８Ａ  インク透過層、８Ｂ  インク吸収層、
９  供給カセット挿入部、１０  排紙開口部、１１  底面、
１２  係合部、１３  シリンドリカルレンズ、１４  凸部、
１６  搬送用モーター、１７  排紙用モーター、１８  キャリッジ、
１９  キャリッジガイド、２０  キャリッジ用モーター、
２１  タイミングベルト、１００  記録装置、１１０  コンピューター、
２００  供給カセット、２０２  レンズシート挿入口、
２０４  レンズシート供給口、２１０  中央スリット、
２２０  側面スリット、２３０  挿入口側スリット、
２４０  押圧部材、２４１  グリップ部、２４２  レンズシート押さえ部、
ＣＭ  検査用画像、Ｌｎ  ライン、Ｌ  レンズシート、Ｓ  紙
【図１】
2010228823.tif 000003
【図２】
2010228823.tif 000004
【図３】
2010228823.tif 000005
【図４】
2010228823.tif 000006
【図５】
2010228823.tif 000007
【図６】
2010228823.tif 000008
【図７】
2010228823.tif 000009
【図８】
2010228823.tif 000010
【図９】
2010228823.tif 000011
【図１０】
2010228823.tif 000012
【図１１】
2010228823.tif 000013
【図１２】
2010228823.tif 000014
【図１３】
2010228823.tif 000015
【図１４】
2010228823.tif 000016
【図１５】
2010228823.tif 000017
【図１６】
2010228823.tif 000018
【図１７】
2010228823.tif 000019